(57)【要約】【課題】  削除されたユーザーのユーザー関連データを円滑に削除する画像形成装置を得る。【解決手段】  リソース管理部１１は、ユーザー関連データを含むリソースに対する、ユーザーのアクセスの可否を示す認可情報を設定する。ユーザー管理部１２は、ユーザーの登録および削除を行う。そして、リソース管理部１１は、ユーザー管理部１２により第１のユーザーが削除される場合に、（ａ）第１のユーザーのユーザー関連データをただちに一括削除する第１削除処理、および（ｂ）認可情報において第１のユーザーのユーザー関連データに対してアクセスを許可する別の第２のユーザーを代理ユーザーとして指定し、第２のユーザーを代理ユーザーとして指定した後に、第１のユーザーのユーザー関連データをバックグラウンドで徐々に削除していく第２削除処理のいずれかを選択して実行する。【選択図】  図１
2018191180.tif 000002
【特許請求の範囲】
【請求項１】
ユーザー関連データを含むリソースに対する、ユーザーのアクセスの可否を示す認可情報を設定するリソース管理部と、
ユーザーの登録および削除を行うユーザー管理部とを備え、
前記リソース管理部は、前記ユーザー管理部により第１のユーザーが削除される場合に、（ａ）前記第１のユーザーのユーザー関連データをただちに一括削除する第１削除処理、および（ｂ）前記認可情報において前記第１のユーザーの前記ユーザー関連データに対してアクセスを許可する別の第２のユーザーを代理ユーザーとして指定し、前記第２のユーザーを前記代理ユーザーとして指定した後に、前記第１のユーザーの前記ユーザー関連データをバックグラウンドで徐々に削除していく第２削除処理のいずれかを選択して実行すること、
を特徴とする画像形成装置。
【請求項２】
前記リソース管理部は、前記代理ユーザーとして指定されている前記第２のユーザーが前記ユーザー管理部により削除される場合において、前記第２のユーザーの前記ユーザー関連データをただちに一括削除するときには、前記第１のユーザーの前記ユーザー関連データも併せてただちに一括削除することを特徴とする請求項１記載の画像形成装置。
【請求項３】
前記リソース管理部は、削除済みの前記第１のユーザーと同一ユーザー名の新規ユーザーが前記ユーザー管理部により登録される場合、前記第２削除処理で、削除済みの前記第１のユーザーのユーザー関連データの削除が完了していなければ、削除済みの前記第１のユーザーのユーザー関連データをただちに一括削除することを特徴とする請求項１または請求項２記載の画像形成装置。
【請求項４】
前記リソース管理部は、前記第２削除処理の場合、特定のタイミングおよび特定の順序で前記ユーザー関連データを削除することを特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
ある印刷装置は、あるユーザーの登録が消去されるとき、そのユーザーの関連情報（カスタマイズ情報など）も併せて削除している（例えば特許文献１参照）。
【先行技術文献】
【特許文献】
【０００３】
【特許文献１】特開２００６−１６８０６９号公報
【発明の概要】
【発明が解決しようとする課題】
【０００４】
プリンター、複合機などの画像形成装置には、あるリソース（設定情報、属性情報、ユーザーデータなど）へのアクセス制御を行うことができる認可機能を有するものがある。
【０００５】
上述の印刷装置では、あるユーザーに関連付けられ、そのユーザーに対してアクセスが許可されている、設定情報、属性情報、ユーザーデータなどのユーザー関連データが多く存在する場合において、そのユーザーの登録が消去されたときにただちに、多くのユーザー関連データを一括削除する場合、装置の負荷が高くなり、ユーザー関連データの一括削除が完了するまで、各種ジョブの実行に遅延が生じる可能性がある。
【０００６】
他方、多くのユーザー関連データを一括削除せずに徐々に削除していくことも考えられるが、その場合、そのユーザー関連データが削除されるまで長時間、いずれのユーザーによっても操作（読み出し、削除など）できない残留データとして残ってしまう。
【０００７】
本発明は、上記の問題に鑑みてなされたものであり、削除されたユーザーのユーザー関連データを円滑に削除する画像形成装置を得ることを目的とする。
【課題を解決するための手段】
【０００８】
本発明に係る画像形成装置は、ユーザー関連データを含むリソースに対する、ユーザーのアクセスの可否を示す認可情報を設定するリソース管理部と、ユーザーの登録および削除を行うユーザー管理部とを備える。そして、前記リソース管理部は、前記ユーザー管理部により第１のユーザーが削除される場合に、（ａ）前記第１のユーザーのユーザー関連データをただちに一括削除する第１削除処理、および（ｂ）前記認可情報において前記第１のユーザーの前記ユーザー関連データに対してアクセスを許可する別の第２のユーザーを代理ユーザーとして指定し、前記第２のユーザーを前記代理ユーザーとして指定した後に、前記第１のユーザーの前記ユーザー関連データをバックグラウンドで徐々に削除していく第２削除処理のいずれかを選択して実行する。
【発明の効果】
【０００９】
本発明によれば、削除されたユーザーのユーザー関連データを円滑に削除する画像形成装置が得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像形成装置の構成を示すブロック図である。
【図２】図２は、図１におけるユーザー登録データ２１およびリソース２２の一例を示す図である。
【図３】図３は、図１に示す画像形成装置において第２削除処理が実行される際の操作画面を説明する図である（１／３）。
【図４】図４は、図１に示す画像形成装置において第２削除処理が実行される際の操作画面を説明する図である（２／３）。
【図５】図５は、図１に示す画像形成装置において第２削除処理が実行される際の操作画面を説明する図である（３／３）。
【図６】図６は、図１に示す画像形成装置において代理ユーザーとなっているユーザーを削除する際の操作画面を説明する図である。
【図７】図７は、図１に示す画像形成装置において削除済みユーザーと同一名の新規ユーザーを登録する際の操作画面を説明する図である（１／２）。
【図８】図８は、図１に示す画像形成装置において削除済みユーザーと同一名の新規ユーザーを登録する際の操作画面を説明する図である（２／２）。
【発明を実施するための形態】
【００１２】
以下、図に基づいて本発明の実施の形態を説明する。
【００１３】
実施の形態１．
【００１４】
図１は、本発明の実施の形態に係る画像形成装置の構成を示すブロック図である。図１に示す画像形成装置は、複合機などであり、画像読取装置１、記憶装置２、通信装置３、印刷装置４、操作パネル５、および演算処理装置６を備える。
【００１５】
画像読取装置１は、原稿から原稿画像を光学的に読み取り、原稿画像の画像データ（ここでは、ＲＧＢデータ）を生成する内部装置である。
【００１６】
また、記憶装置２は、各種データやプログラムを格納可能な装置である。記憶装置２としては、不揮発性メモリー、ハードディスクドライブなどの不揮発性の大容量記憶媒体が使用される。
【００１７】
記憶装置２には、登録ユーザーのユーザー登録データ２１が格納されている。ユーザー登録データ２１は、登録ユーザーごとに、ユーザー名、およびその他のユーザー属性情報を含んでいる。記憶装置２には、さらに、データとしてのリソース２２が格納されている。
【００１８】
図２は、図１におけるユーザー登録データ２１およびリソース２２の一例を示す図である。
【００１９】
ユーザー登録データ２１は、登録ユーザーごとに、ユーザー名、性別、代理使用回数（代理ユーザーの権限が使用された回数）などの属性情報を含む。
【００２０】
リソース２２には、各登録ユーザーのユーザー関連データが含まれる。各登録ユーザーのユーザー関連データは、その登録ユーザーの設定データ、ユーザーデータ（画像データなど）、図２に示すような、ユーザーデータを格納するボックスの属性データなどを含む。
【００２１】
通信装置３は、ネットワークなどを介して外部の装置とデータ通信を行う装置である。また、印刷装置４は、画像データに基づく画像を印刷用紙へ印刷する。
【００２２】
また、操作パネル５は、ユーザーに対して各種画面を表示する液晶ディスプレイなどといった表示装置５ａと、ユーザー操作を検出するタッチパネル、ハードキーなどといった入力装置５ｂとを備える。
【００２３】
また、演算処理装置６は、ＣＰＵ（Central Processing Unit）、ＲＯＭ（Read Only Memory）、ＲＡＭ（Random Access Memory）などを有するコンピューターであり、ＲＯＭや記憶装置２などからＲＡＭへプログラムをロードし、そのプログラムをＣＰＵで実行することにより、各種処理部として動作する。この実施の形態では、演算処理装置６は、リソース管理部１１、およびユーザー管理部１２として動作する。
【００２４】
リソース管理部１１は、複数のユーザー関連データを含むリソース２２に対する、ユーザーのアクセスの可否を示す認可情報を設定する。認可情報において、ユーザー関連データへのアクセスは、対応する登録ユーザーのみに許可されている。
【００２５】
ユーザー管理部１２は、ユーザー登録データ２１に対する登録ユーザーの登録および削除を行う。
【００２６】
さらに、リソース管理部１１は、ユーザー管理部１２によりあるユーザー（以下、第１のユーザーという）が削除される場合に、（ａ）第１のユーザーのユーザー関連データをただちに一括削除する第１削除処理、および（ｂ）認可情報において第１のユーザーのユーザー関連データに対してアクセスを許可する別のユーザー（以下、第２のユーザーという）を代理ユーザーとして指定し、第２のユーザーを代理ユーザーとして指定した後に、第１のユーザーのユーザー関連データをバックグラウンドで徐々に削除していく第２削除処理のいずれかを選択して実行する。
【００２７】
代理ユーザーが指定された場合、その代理ユーザーの権限で、第１のユーザーのユーザー関連データが削除されるまで、第１のユーザーのユーザー関連データを手動で操作（読み出し、編集、削除など）することができる。また、ユーザー関連データの削除が完了すると、代理ユーザーの指定は解除される。
【００２８】
リソース管理部１１は、第２削除処理の場合、特定のタイミングおよび特定の順序でユーザー関連データを削除する。
【００２９】
上述の特定のタイミングとしては、（ａ）プリント、スキャン、ファクシミリ送受信などの処理の実行中ではなく、操作パネル５の入力装置５ｂからのユーザーによる指令がないタイミング、（ｂ）装置の起動時および装置のシャットダウン時の少なくとも一方、（ｃ）エラー発生によりジョブ停止中のタイミング（ただし、データ削除が可能である場合）などとされる。
【００３０】
上述の特定の順序としては、（ａ）アクセス頻度の高いユーザー関連データほど、またはアクセス頻度の低いユーザー関連データほど早く削除する順序、（ｂ）削除されたユーザーによる使用回数が多いユーザー関連データほど、または削除されたユーザーによる使用回数が少ないほど早く削除する順序などとされる。
【００３１】
次に、上記画像形成装置の動作について説明する。
【００３２】
図３〜図５は、図１に示す画像形成装置において第２削除処理が実行される際の操作画面を説明する図である。
【００３３】
入力装置５ｂに対する所定のユーザー操作が検出されると、ユーザー管理部１２は、図３に示すようなユーザー管理画面５１を表示装置５ａに表示する。
【００３４】
ユーザー管理画面５１には、ユーザー登録データ２１に基づく登録ユーザーのユーザーリスト５１ａ、登録ユーザーを追加するための追加キー５１ｂ、登録ユーザーの属性情報を編集するための編集キー５１ｃ、および登録ユーザーを削除するための削除キー５１ｄが含まれる。追加キー５１ｂ、編集キー５１ｃ、および削除キー５１ｄは、ソフトキーである。
【００３５】
管理者などの特定ユーザーが登録ユーザーを削除したい場合、入力装置５ｂを使用して、ユーザーリスト５１ａから削除対象の登録ユーザーを選択した上で削除キー５１ｄを押下する。削除キー５１ｄの押下が入力装置５ｂにより検出されると、ユーザー管理部１２は、削除対象の登録ユーザーを特定し、図３に示すようなアクセス制限設定画面５２を表示装置５ａに表示する。
【００３６】
アクセス制限設定画面５２には、アクセス制限を設定するための「はい」キー５２ａ、およびアクセス制限を設定しないための「いいえ」キー５２ｂが含まれる。「はい」キー５２ａおよび「いいえ」キー５２ｂは、ソフトキーである。
【００３７】
「はい」キー５２ａの押下が入力装置５ｂにより検出されると、リソース管理部１１は、削除対象の登録ユーザーのユーザー関連データが削除されるまで、そのユーザー関連データへのアクセスを禁止する。なお、このように、ユーザー関連データへのアクセスが禁止された場合、ユーザー関連データへのアクセス要求が発生した際にはエラーとして処理される。
【００３８】
「いいえ」キー５２ｂの押下が入力装置５ｂにより検出されると、リソース管理部１１は、削除対象の登録ユーザーのユーザー関連データが削除されるまで、そのユーザー関連データへのアクセスを禁止しない。そのため、削除対象の登録ユーザーのユーザー関連データへのアクセスが、ユーザー関連データが削除されるまで、代理ユーザーの権限に基づいて許可される。
【００３９】
また、「はい」キー５２ａまたは「いいえ」キー５２ｂの押下が検出されると、ユーザー管理部１２は、図４に示すような代理ユーザー設定画面５３を表示装置５ａに表示する。なお、図４に示す例では、削除対象の登録ユーザーとして、登録ユーザー「Ｔａｎａｋａ」が選択されている。
【００４０】
代理ユーザー設定画面５３には、削除対象の登録ユーザーに対する代理ユーザーを設定するための「はい」キー５３ａ、および削除対象の登録ユーザーに対する代理ユーザーを設定しないための「いいえ」キー５３ｂが含まれる。「はい」キー５３ａおよび「いいえ」キー５３ｂは、ソフトキーである。
【００４１】
「はい」キー５３ａの押下が入力装置５ｂにより検出されると、ユーザー管理部１２は、図４に示すような代理ユーザー指定画面５４を表示装置５ａに表示する。
【００４２】
代理ユーザー指定画面５４には、削除対象以外の登録ユーザーのユーザーリスト５４ａ、ユーザーリスト５４ａから登録ユーザーを選択し代理ユーザーを指定するための選択キー５４ｂ、およびキャンセルキー５４ｃが含まれる。選択キー５４ｂおよびキャンセルキー５４ｃは、ソフトキーである。
【００４３】
ユーザーリスト５４ａから代理ユーザーを選択した上で選択キー５４ｂが押下されると、選択キー５４ｂの押下が入力装置５ｂにより検出され、ユーザー管理部１２は、選択された代理ユーザーを特定し、図５に示すような確認画面５５を表示装置５ａに表示する。なお、図５に示す例では、削除対象の登録ユーザーの代理ユーザーとして、登録ユーザー「Ｍｉｃｈ」が指定されている。
【００４４】
確認画面５５では、削除対象の登録ユーザー（図５では「Ｔａｎａｋａ」）と、その代理ユーザー（図５では「Ｍｉｃｈ」）とが示される。また、確認画面５５には、削除対象の登録ユーザーの削除を実行するための「はい」キー５５ａ、および削除対象の登録ユーザーの削除を実行せず代理ユーザー指定画面５４へ戻るための「いいえ」キー５５ｂが含まれる。「はい」キー５５ａおよび「いいえ」キー５５ｂは、ソフトキーである。
【００４５】
「はい」キー５５ａの押下が入力装置５ｂにより検出されると、ユーザー管理部１２は、ユーザー登録データ２１から、削除対象の登録ユーザーを削除し、その後、リソース管理部１１は、削除対象の登録ユーザーのユーザー関連データをバックグラウンドで徐々に削除していく。
【００４６】
このように、代理ユーザーが指定された場合、第２削除処理が実行される。これにより、代理ユーザーのユーザー権限に基づいて、削除対象の登録ユーザーのユーザー関連データへのアクセスが可能となる。つまり、代理ユーザーが指定され第２削除処理が開始される際に、代理ユーザーによる、削除対象の登録ユーザーのユーザー関連データへのアクセスが許可されるように認可情報が一時的に変更され、そのユーザー関連データの削除が完了すると、認可情報が変更前の状態に戻される。
【００４７】
なお、代理ユーザー設定画面５３において、「いいえ」キー５３ｂの押下が入力装置５ｂにより検出された場合、リソース管理部１１は、第１削除処理で、ユーザー関連データをただちに一括削除する。例えば、深夜など、プリントなどの処理が少ない期間には、特定ユーザーは、第１削除処理を選択できる。
【００４８】
以上のように、上記実施の形態１によれば、リソース管理部１１は、ユーザー関連データを含むリソースに対する、ユーザーのアクセスの可否を示す認可情報を設定する。ユーザー管理部１２は、ユーザーの登録および削除を行う。そして、リソース管理部１１は、ユーザー管理部１２により第１のユーザーが削除される場合に、（ａ）第１のユーザーのユーザー関連データをただちに一括削除する第１削除処理、および（ｂ）認可情報において第１のユーザーのユーザー関連データに対してアクセスを許可する別の第２のユーザーを代理ユーザーとして指定し、第２のユーザーを代理ユーザーとして指定した後に、第１のユーザーのユーザー関連データをバックグラウンドで徐々に削除していく第２削除処理のいずれかを選択して実行する。
【００４９】
これにより、第２削除処理が選択されると過負荷を避けつつ、徐々にユーザー関連データが削除されるとともに、ユーザー関連データが削除されるまでの期間においては代理ユーザーの権限で未削除のユーザー関連データを操作可能となっているため、削除されたユーザーのユーザー関連データが円滑に削除される。
【００５０】
実施の形態２．
【００５１】
実施の形態２では、リソース管理部１１は、代理ユーザーとして指定されている第２のユーザーがユーザー管理部１２により削除される場合において、第２のユーザーのユーザー関連データをただちに一括削除するときには（つまり、第２のユーザーについての第１削除処理を行うときには）、第１のユーザーのユーザー関連データも併せてただちに一括削除する。つまり、この時点で、第２削除処理において消去されていない第１のユーザーのユーザー関連データが、一括削除される。
【００５２】
図６は、図１に示す画像形成装置において代理ユーザーとなっているユーザーを削除する際の操作画面を説明する図である。
【００５３】
入力装置５ｂに対する所定のユーザー操作が検出されると、ユーザー管理部１２は、図６に示すようなユーザー管理画面６１を表示装置５ａに表示する。
【００５４】
ユーザー管理画面６１には、登録ユーザーのユーザーリスト６１ａ、登録ユーザーを追加するための追加キー６１ｂ、登録ユーザーの属性情報を編集するための編集キー６１ｃ、および登録ユーザーを削除するための削除キー６１ｄが含まれる。追加キー６１ｂ、編集キー６１ｃ、および削除キー６１ｄは、ソフトキーである。
【００５５】
管理者などの特定ユーザーが、登録ユーザーを削除したい場合、入力装置５ｂを使用して、ユーザーリスト６１ａから削除対象の登録ユーザーを選択した上で削除キー６１ｄを押下する。削除キー６１ｄの押下が入力装置５ｂにより検出されると、図６に示すように確認画面６２を表示装置５ａに表示する。なお、図６に示す例では、削除対象の登録ユーザーとして、第２削除処理が進行中の登録ユーザー「Ｓｕｎ」の代理ユーザーである登録ユーザー「Ｔａｎａｋａ」が指定されている。
【００５６】
確認画面６２には、削除対象の登録ユーザーの削除を実行するための「はい」キー６２ａ、および削除対象の登録ユーザーの削除を実行せずユーザー管理画面６１へ戻るための「いいえ」キー６２ｂが含まれる。「はい」キー６２ａおよび「いいえ」キー６２ｂは、ソフトキーである。
【００５７】
「はい」キー６２ａの押下が入力装置５ｂにより検出されると、ユーザー管理部１２は、ユーザー登録データ２１から削除対象の登録ユーザーを削除し、リソース管理部１１は、削除対象の登録ユーザーのユーザー関連データをただちに一括削除するとともに、削除対象の登録ユーザーが代理ユーザーとされ第２削除処理が進行中の登録ユーザーの残りのユーザー関連データをただちに一括削除する。
【００５８】
なお、実施の形態２に係るその他の構成および動作については実施の形態１と同様であるので、その説明を省略する。
【００５９】
実施の形態３．
【００６０】
実施の形態３では、ユーザー管理部１２が、ユーザー関連データの削除が完了していない削除済みの第１のユーザーと同一ユーザー名の新規ユーザーをユーザー登録データ２１に登録する場合には、リソース管理部１１は、その削除済みの第１のユーザーのユーザー関連データ（現時点の残っている部分のすべて）をただちに一括削除する。その後、同一名の新規ユーザーが登録される。
【００６１】
図７および図８は、図１に示す画像形成装置において削除済みユーザーと同一名の新規ユーザーを登録する際の操作画面を説明する図である。
【００６２】
入力装置５ｂに対する所定のユーザー操作が検出されると、ユーザー管理部１２は、図３に示すようなユーザー管理画面７１を表示装置５ａに表示する。
【００６３】
ユーザー管理画面７１には、登録ユーザーのユーザーリスト７１ａ、登録ユーザーを追加するための追加キー７１ｂ、登録ユーザーの属性情報を編集するための編集キー７１ｃ、および登録ユーザーを削除するための削除キー７１ｄが含まれる。追加キー７１ｂ、編集キー７１ｃ、および削除キー７１ｄは、ソフトキーである。
【００６４】
管理者などの特定ユーザーが登録ユーザーを追加したい場合、入力装置５ｂを使用して、追加キー７１ｂを押下する。追加キー７１ｂの押下が入力装置５ｂにより検出されると、ユーザー管理部１２は、図７に示すようなユーザー追加画面７２を表示装置５ｂに表示する。
【００６５】
ユーザー追加画面７２には、追加ユーザーの各種属性情報を入力するための入力フィールド７２ａ、登録ユーザーの追加を実行するための「はい」キー７２ｂ、およびユーザー管理画面７１へ戻るための「いいえ」キー７２ｃが含まれる。「はい」キー７２ｂおよび「いいえ」キー７２ｃは、ソフトキーである。
【００６６】
ユーザー追加画面７２において、管理者などの特定ユーザーは、入力装置５ｂを使用して、入力フィールド７２ａに各種属性情報を入力した上で、「はい」キー７２ｂを押下する。
【００６７】
「はい」キー７２ｂの押下が入力装置５ｂにより検出されると、ユーザー管理部１２は、入力されたユーザー名と同一のユーザー名を有する登録ユーザーがユーザー登録データ２１に登録されているか否かを判定する。
【００６８】
入力されたユーザー名と同一のユーザー名を有する登録ユーザーがユーザー登録データ２１に登録されている場合には、ユーザー管理部１２は、エラー処理する。
【００６９】
入力されたユーザー名と同一のユーザー名を有する登録ユーザーがユーザー登録データ２１に登録されていない場合において、ユーザー関連データの削除が完了していない削除済みの登録ユーザーが存在しなければ、ユーザー管理部１２は、入力されたユーザー名などの属性情報に基づいて新規ユーザーをユーザー登録データ２１に登録する。
【００７０】
一方、入力されたユーザー名と同一のユーザー名を有する登録ユーザーがユーザー登録データ２１に登録されていない場合において、ユーザー関連データの削除が完了していない削除済みの登録ユーザーが存在するときには、ユーザー管理部１２は、図８に示すような確認画面７３を表示装置５ｂに表示する。
【００７１】
確認画面７３には、登録ユーザーの追加を実行するための「はい」キー７３ａ、およびユーザー追加画面７２へ戻るための「いいえ」キー７３ｂが含まれる。「はい」キー７３ａおよび「いいえ」キー７３ｂは、ソフトキーである。
【００７２】
「はい」キー７３ａの押下が入力装置５ｂにより検出されると、リソース管理部１１は、入力されたユーザー名と同一のユーザー名を有する削除済みの登録ユーザーの残りのユーザー関連データをただちに一括削除し、その後、ユーザー管理部１２は、入力されたユーザー名などの属性情報に基づいて新規ユーザーをユーザー登録データ２１に登録する。
【００７３】
なお、実施の形態３に係るその他の構成および動作については実施の形態１または実施の形態２と同様であるので、その説明を省略する。
【００７４】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７５】
例えば、上記実施の形態において、代理ユーザーの指定の期限を設定できるようにしてもよいし、管理者などの所定のユーザー操作に基づいて、代理ユーザーの指定を解除するようにしてもよいし、代理ユーザーの権限による、削除対象の登録ユーザーのユーザー関連データへのアクセス回数の上限値を設定できるようにしてもよい。
【００７６】
また、上記実施の形態において、代理ユーザーの権限による、削除対象の登録ユーザーのユーザー関連データへのアクセス回数を記録し、管理者などの特定ユーザーにより閲覧可能としてもよい。
【産業上の利用可能性】
【００７７】
本発明は、例えば、複合機などの画像形成装置に適用可能である。
【符号の説明】
【００７８】
１１  リソース管理部
１２  ユーザー管理部
【図１】
2018191180.tif 000003
【図２】
2018191180.tif 000004
【図３】
2018191180.tif 000005
【図４】
2018191180.tif 000006
【図５】
2018191180.tif 000007
【図６】
2018191180.tif 000008
【図７】
2018191180.tif 000009
【図８】
2018191180.tif 000010